(57)【要約】【課題】入射領域への光の入射方向と平行な方向における寸法を小さく抑えることが可能な導光部材、スイッチハンドル、及び配線器具を提供する。【解決手段】導光部材１の本体１１は、外部からの光が入射する入射領域Ａ１，Ａ２と、外部に光を出射する出射領域Ｂ１とを有する。入射領域Ａ１，Ａ２と出射領域Ｂ１とは、第１方向Ｄ１において並ぶように本体１１の別々の面にある。出射領域Ｂ１は第１方向Ｄ１に沿って細長い領域である。本体１１は、第１反射部１３０と第２反射部１４０とを有する。第１反射部１３０は、入射領域Ａ１，Ａ２から本体１１の内部に入射した光を、入射領域Ａ１，Ａ２への光の入射方向から見て、第１方向Ｄ１と交差する第２方向Ｄ２に反射する。第２反射部１４０は、第１反射部１３０によって反射された光を、出射領域Ｂ１に向かって反射する。【選択図】図７
2018113240.tif 000002
【特許請求の範囲】
【請求項１】
外部からの光が入射する少なくとも１つの入射領域と、外部に光を出射する出射領域とを有する本体を備え、
前記入射領域と前記出射領域とは、第１方向において並ぶように前記本体の別々の面にあり、
前記本体は、
前記入射領域から前記本体の内部に入射した光を、前記入射領域への光の入射方向から見て、前記第１方向と交差する第２方向に反射する少なくとも１つの第１反射部と、
前記第１反射部によって反射された光を、前記出射領域に向かって反射する少なくとも１つの第２反射部と、
を有する、
ことを特徴とする導光部材。
【請求項２】
前記第２反射部が、前記第１反射部によって反射された光を反射する第１反射面と、前記第１反射面によって反射された光を前記出射領域に向かって反射する第２反射面と、を含む、
ことを特徴とする請求項１に記載の導光部材。
【請求項３】
前記第１反射面は前記本体の外側面の一部であり、
前記第１反射面は、前記第１方向及び前記第２方向の両方に平行な平面内で、前記本体の外側に向かって凸となる湾曲面である、
ことを特徴とする請求項２に記載の導光部材。
【請求項４】
前記第２反射面は前記本体の外側面の一部であり、
前記第２反射面は、前記第１方向及び前記第２方向の両方に平行な平面内で、前記本体の内側に向かって凸となる湾曲面である、
ことを特徴とする請求項２又は３に記載の導光部材。
【請求項５】
前記本体は、前記第２反射部によって反射された光を前記出射領域に向かって反射する第３反射部を更に有する、
ことを特徴とする請求項１〜４のいずれか１項に記載の導光部材。
【請求項６】
前記出射領域は前記本体の外側面の一部であり、
前記出射領域は平面である、
ことを特徴とする請求項１〜５のいずれか１項に記載の導光部材。
【請求項７】
前記入射領域は前記本体の外側面の一部であり、
前記入射領域は、前記入射方向及び前記第２方向の両方に平行な平面内で、前記本体の外側に向かって凸となる湾曲面である、
ことを特徴とする請求項１〜６のいずれか１項に記載の導光部材。
【請求項８】
前記第１反射部は前記本体の外側面の一部であり、
前記第１反射部は、前記入射方向及び前記第２方向の両方に平行な平面内で、前記本体の外側に向かって凸となる湾曲面である、
ことを特徴とする請求項１〜７のいずれか１項に記載の導光部材。
【請求項９】
前記本体は、前記入射領域からなる第１入射部とは別に、前記本体の外部からの光が入射する第２入射部を更に有し、
前記第２入射部から入射した光の少なくとも一部が前記出射領域に直接出射する、
ことを特徴とする請求項１〜８のいずれか１項に記載の導光部材。
【請求項１０】
前記第２入射部に入射する光量を低減する減光部材を、更に備える、
ことを特徴とする請求項９に記載の導光部材。
【請求項１１】
前記第１入射部に光源から光が入射する入射方向と前記第２入射部に前記光源から光が入射する入射方向とが平行であり、
前記第１入射部及び前記第２入射部に光が入射する入射方向において、前記光源と前記第２入射部との間に前記第１入射部がある、
ことを特徴とする請求項９又は１０に記載の導光部材。
【請求項１２】
前記入射領域と前記第１反射部と前記第２反射部とがそれぞれ複数あり、
前記第１方向において前記出射領域の両側に前記複数の入射領域が並んでおり、
前記複数の入射領域のそれぞれから入射した光は、前記複数の第１反射部のうち対応する１つの第１反射部と、前記複数の第２反射部のうち対応する１つの第２反射部とで反射されて、前記出射領域から外部に出射する、
ことを特徴とする請求項１〜１１のいずれか１項に記載の導光部材。
【請求項１３】
スイッチ装置のオン／オフを切り替えるためのスイッチハンドルであって、
請求項１〜１２のいずれか１項に記載の導光部材と、前記導光部材が取り付けられるハンドル本体とを備える、
ことを特徴とするスイッチハンドル。
【請求項１４】
減光部材を更に備え、
前記本体は、前記入射領域からなる第１入射部とは別に、前記本体の外部からの光が入射する第２入射部を更に有し、
前記第２入射部から入射した光の少なくとも一部が前記出射領域に直接出射し、
前記減光部材は、前記第２入射部に入射する光量を低減する、
ことを特徴とする請求項１３に記載のスイッチハンドル。
【請求項１５】
請求項１３又は１４に記載のスイッチハンドルと、前記スイッチ装置と、を備え、
前記スイッチ装置は、前記スイッチハンドルが移動可能な状態で取り付けられる本体を備える、
ことを特徴とする配線器具。
【発明の詳細な説明】
【技術分野】
【０００１】
本発明は、導光部材、スイッチハンドル、及び配線器具に関し、特に、入射領域から入射した光を内部で反射して出射領域から出射させるための導光部材、スイッチハンドル、及び配線器具に関する。
【背景技術】
【０００２】
従来、スイッチ装置からハンドルに設けられた表示窓まで光を導光するスイッチ用プリズムがあった（例えば特許文献１参照）。
【０００３】
特許文献１のスイッチ用プリズムは、複数の入射部から１つの出射部に光を導光する機能を備えている。スイッチ用プリズムは、相互に平行な底面と天面とを有している。スイッチ用プリズムの底面と天面とは上下方向に並んでおり、側面視では上下に長く延びた形状を備えている。天面の上下方向中央位置には突出部が形成されており、この突出部の端面がスイッチ用プリズムの出射部となっている。また、底面がスイッチ用プリズムの入射部となっており、入射部と出射部とは上下方向に並んでいる。
【先行技術文献】
【特許文献】
【０００４】
【特許文献１】特開２００８−４５１０号公報
【発明の概要】
【発明が解決しようとする課題】
【０００５】
特許文献１のスイッチ用プリズムでは、水平方向と平行な方向から底面に入射した光は、入射部（入射領域）への光の入射方向と上下方向との両方に平行な平面においてスイッチ用プリズムの内面で反射された後、出射部である天面から外部に出射する。ここで、入射部と出射部とが並ぶ上下方向において出射部の寸法を広げようとすると、スイッチ用プリズムの内面に出射部に向かって光を広角に反射する反射面を設ける必要がある。そのため、光の入射方向（水平方向）におけるスイッチ用プリズムの寸法が大きくなる可能性があった。
【０００６】
本発明の目的は、入射領域への光の入射方向と平行な方向における寸法を小さく抑えることが可能な導光部材、スイッチハンドル、及び配線器具を提供することにある。
【課題を解決するための手段】
【０００７】
本発明の一態様の導光部材は、外部からの光が入射する少なくとも１つの入射領域と、外部に光を出射する出射領域とを有する本体を備える。前記入射領域と前記出射領域とは、第１方向において並ぶように前記本体の別々の面にある。前記本体は、少なくとも１つの第１反射部と、少なくとも１つの第２反射部と、を有する。前記第１反射部は、前記入射領域から前記本体の内部に入射した光を、前記入射領域への光の入射方向から見て、前記第１方向と交差する第２方向に反射する。前記第２反射部は、前記第１反射部によって反射された光を、前記出射領域に向かって反射する。
【０００８】
本発明の一態様のスイッチハンドルは、スイッチ装置のオン／オフを切り替えるためのスイッチハンドルであって、前記導光部材と、前記導光部材が取り付けられるハンドル本体とを備える。
【０００９】
本発明の一態様の配線器具は、前記スイッチハンドルと、前記スイッチ装置と、を備え、前記スイッチ装置は、前記スイッチハンドルが移動可能な状態で取り付けられる本体を備える。
【発明の効果】
【００１０】
本発明によれば、入射領域への光の入射方向と平行な方向における寸法を小さく抑えることが可能な導光部材、スイッチハンドル、及び配線器具を提供できる。
【図面の簡単な説明】
【００１１】
【図１】図１は、本発明の一実施形態に係る配線器具の分解斜視図である。
【図２】図２は、同上の配線器具の正面図である。
【図３】図３は、本発明の一実施形態に係るスイッチハンドルを前方から見た分解斜視図である。
【図４】図４は、同上のスイッチハンドルを後方から見た分解斜視図である。
【図５】図５は、同上のスイッチハンドルを後方から見た斜視図である。
【図６】図６Ａは、本発明の一実施形態に係る導光部材の第１入射部に光が入射する場合の光路を説明する斜視図である。図６Ｂは、同上の導光部材の第２入射部に光が入射する場合の光路を説明する斜視図である。
【図７】図７Ａは、同上の導光部材の正面図である。図７Ｂは、同上の導光部材の背面図である。図７Ｃは、同上の導光部材のＣ１−Ｃ１線断面図である。
【図８】図８は、本発明の一実施形態の変形例１に係る導光部材の断面図である。
【図９】図９は、本発明の一実施形態の変形例２に係る導光部材の斜視図である。
【図１０】図１０は、本発明の一実施形態の変形例３に係る導光部材の斜視図である。
【発明を実施するための形態】
【００１２】
以下に説明する実施形態は、本発明の種々の実施形態の一つに過ぎない。本発明の実施形態は、下記実施形態に限定されることはなく、この実施形態以外も含み得る。また、下記の実施形態は、本発明に係る技術的思想を逸脱しない範囲であれば、設計等に応じて種々の変更が可能である。
【００１３】
（１）概要
本実施形態の配線器具１０は、図１及び図２に示すように、スイッチ装置２と、スイッチハンドル３とを備える。以下の説明では、図１などにおいて「上」、「下」、「左」、「右」、「前」、「後」の矢印で示す通りに各方向を規定する。ただし、これらの方向は導光部材１、スイッチ装置２、スイッチハンドル３、及び配線器具１０の設置方向を規定する趣旨ではない。また、図面中の方向を示す矢印は説明のために表記しているに過ぎず、実体を伴わない。
【００１４】
スイッチ装置２は、取付枠５０を用いて造営材９０（壁など）に取り付けられる。スイッチ装置２は、例えば照明器具などの負荷と電源との間に電気的に接続される接点を備えている。スイッチ装置２には、接点のオン／オフを切り替えるためのスイッチハンドル３が取り付けられている。スイッチハンドル３の操作に応じてスイッチ装置２の接点がオンになると、負荷に電力が供給される状態、照明負荷であれば負荷が点灯する状態となる。また、スイッチハンドル３の操作に応じてスイッチ装置２の接点がオフになると、負荷に電力が供給されない状態、照明負荷であれば負荷が消灯する状態となる。
【００１５】
スイッチ装置２の本体２１には、負荷の動作状態又はスイッチ装置２の設置位置を光で表示するための光源２２が内蔵されている。光源２２は例えば白色光を出力する発光ダイオードであるが、ネオンランプなどでもよい。本体２１の前面には光源２２に対応する部位に貫通孔が設けられ、この貫通孔には透光性を有するカバー２３が取り付けられている。光源２２が点灯すると、光源２２が出力した光はカバー２３を通して本体２１の外側に出射される。
【００１６】
本実施形態のスイッチハンドル３は、図３及び図４に示すように、スイッチハンドル３の後面側に導光部材１を備えている。スイッチハンドル３は、スイッチハンドル３を前後方向に貫通する貫通孔３１４を有しており、この貫通孔３１４にはレンズ３２が取り付けられている。導光部材１は、光源２２から出力される光を、レンズ３２に導光するために用いられる。
【００１７】
（２）詳細
以下に、配線器具１０の各部の構成を図１〜図７Ｃに基づいて説明する。
【００１８】
（２．１）スイッチ装置の説明
まず、スイッチ装置２の構成について図１及び図２を参照して説明する。
【００１９】
スイッチ装置２の本体２１は、図１に示すように、直方体形状であり、埋込配線器具用の取付枠５０に保持される。
【００２０】
取付枠５０は左右方向が長手方向となる矩形枠状であり、左右方向に対向する一対の枠片５１と、上下方向に対向する一対の枠片５２とを備えている。一対の枠片５１と、一対の枠片５２とは、例えば板金をプレス加工することによって一体に構成されている。取付枠５０は、取付枠５０の長手方向が水平方向と平行になるように、造営材９０に固定される。取付枠５０は金属製に限定されず、合成樹脂製でもよい。また、取付枠５０の取付方向は上記の方向に限定されず、取付枠５０は、取付枠５０の長手方向が鉛直方向と平行になるように、造営材９０に固定されてもよい。
【００２１】
一対の枠片５２の各々には、スイッチ装置２の本体２１に設けられた突起２４が挿入される複数（図示例では６個）の挿入孔５３が設けられている。本体２１の上下の側面の各々には突起２４が２個ずつ設けられている。取付枠５０にはスイッチ装置２が最大３個まで取付可能である。取付枠５０に３個のスイッチ装置２が取り付けられる場合、取付枠５０には３個のスイッチ装置２が取付枠５０の長手方向（つまり左右方向）に並んだ状態で取り付けられる（図２参照）。したがって、スイッチ装置２の本体２１は、各枠片５２の６個の挿入孔５３のうち本体２１の取付位置に対応した２個の挿入孔５３に、２個の突起２４をそれぞれ挿入することによって、取付枠５０に取り付けられる。
【００２２】
一対の枠片５１の各々には、固定用のねじを挿入するための長孔５４が設けられている。取付枠５０は、造営材９０に設けられた取付用の孔９１の縁部分に一対の枠片５１が当たった状態で、長孔５４に挿入されたねじを用いて造営材９０に固定される。
【００２３】
取付枠５０の前面側には、本体２１の周りを囲むようにしてプレート６０が取り付けられている。プレート６０は、プレート枠７０と、化粧プレート８０とで構成される。プレート枠７０は取付ネジ７２を用いて取付枠５０に固定される。化粧プレート８０の裏面には爪が設けられている。化粧プレート８０は、プレート枠７０に設けられた孔７３の周縁に化粧プレート８０の爪を引っ掛けることによって、プレート枠７０に取り付けられる。
【００２４】
ここで、本体２１の前面には後述するスイッチハンドル３が取り付けられる。本体２１に取り付けられたスイッチハンドル３は、プレート６０の開口（すなわち、プレート枠７０及び化粧プレート８０の開口７１，８１）内に配置される（図２参照）。
【００２５】
スイッチ装置２の本体２１の前面には、長手方向における一端側（図示例では上端側）に軸体２５が設けられ、長手方向における他端寄り（図示例では下端寄り）に押釦２６が設けられている。本体２１の内部には接点が収納されており、押釦２６が押されるごとに接点がオンからオフ、又は、オフからオンに交互に切り替わる。スイッチハンドル３の後面には、軸体２５に対応する部位に、軸体２５を回転可能な状態で支持する軸受部が設けられている。スイッチハンドル３は、軸受部に軸体２５を支持させることによって、本体２１に対して回転可能な状態で取り付けられる。ユーザがスイッチハンドル３の長手方向における他端側（図示例では下端側）を手で押すと、スイッチハンドル３が軸体２５を中心に回転し、スイッチハンドル３の裏面で押釦２６が押される。これにより、本体２１に内蔵された接点がオンからオフ、又は、オフからオンに切り替わる。ユーザがスイッチハンドル３から手を離すと、押釦２６が押される前の位置に戻り、スイッチハンドル３が操作前の位置に復帰する。
【００２６】
（２．２）スイッチハンドル及び導光部材の説明
導光部材１を備えるスイッチハンドル３の構成について図３〜図５を参照して説明する。
【００２７】
スイッチハンドル３は、ハンドル本体３１と、レンズ３２と、光色シート３３と、導光部材１と、減光部材３４と、一対の板ばね３５とを備える。
【００２８】
ハンドル本体３１は合成樹脂製であり、前方から見た形状が矩形状の主片３１１と、主片３１１の周縁部から後方に突出する側部３１２とを備えている。ハンドル本体３１の後面には、ハンドル本体３１の長手方向における一端側（上側）に、軸体２５が挿入される一対の溝３１３，３１３が設けられている（図４参照）。一対の溝３１３，３１３は左右方向に並んでいる。一対の溝３１３，３１３にはそれぞれ一対の板ばね３５，３５が取り付けられている。ここにおいて、溝３１３と板ばね３５とで、本体２１の軸体２５を回転可能な状態で支持する軸受部が構成される。ハンドル本体３１は、ハンドル本体３１の長手方向が本体２１の長手方向（上下方向）と平行になるようにして、本体２１に取り付けられる。
【００２９】
ハンドル本体３１には、ハンドル本体３１を厚み方向（前後方向）に貫通する貫通孔３１４が、ハンドル本体３１の長手方向における一端側（上側）に設けられている。貫通孔３１４は、ハンドル本体３１の短手方向（左右方向）に長い長孔形状である。ハンドル本体３１の後面には台形状の凹部３１６が設けられており、凹部３１６の底面には長円形状の凹部３１５が設けられている。貫通孔３１４は凹部３１５の底面に形成されている。
【００３０】
ハンドル本体３１の後面には、ハンドル本体３１の短手方向（左右方向）において凹部３１６の両側に、導光部材１を固定するためのリブ３１７がそれぞれ設けられている。また、ハンドル本体３１の後面には、ハンドル本体３１の短手方向（左右方向）において凹部３１６の両側に、減光部材３４を固定するためのリブ３１８がそれぞれ設けられている。リブ３１７とリブ３１８とはハンドル本体３１の長手方向（上下方向）に並んでおり、リブ３１７はリブ３１８よりも上側に位置している。
【００３１】
レンズ３２は、透光性を有する合成樹脂（例えばポリカーボネート樹脂、アクリル樹脂など）で形成されている。レンズ３２は、ハンドル本体３１の貫通孔３１４に後方から挿入される板状の主部３２１と、主部３２１の後部から外向きに突出する鍔部３２２とを備えている。レンズ３２の主部３２１がハンドル本体３１の貫通孔３１４に後方から挿入された状態では、レンズ３２の鍔部３２２は凹部３１５内に収納されている。
【００３２】
光色シート３３は、所定の色（例えば黄色）に着色された透光性を有する合成樹脂により、薄板状に形成されている。光色シート３３は、ハンドル本体３１の凹部３１６に収納され、ハンドル本体３１の後面に取り付けられる導光部材１とハンドル本体３１との間に配置される。光色シート３３は、導光部材１から出射される光の色を調整するために用いられる。本実施形態の光色シート３３は黄色に着色されており、導光部材１から出射される光の色を黄色に変えるように構成されている。また、光色シート３３は、ハンドル本体３１においてレンズ３２以外の部位に導光部材１から出射した光が入射しないよう遮光する機能も備えている。光色シート３３の後面において、レンズ３２に対応する領域３３１以外の部位３３２は印刷などにより黒色に着色されているので、ハンドル本体３１においてレンズ３２以外の部位に導光部材１からの光が入射するのを抑制することができる。
【００３３】
次に、導光部材１について図３〜図７Ｃを参照しながら説明する。
【００３４】
導光部材１は、透明な合成樹脂（例えばポリカーボネート樹脂、アクリル樹脂など）で形成されている。導光部材１は、本体１１と、本体１１の左右両側にそれぞれ設けられた一対の取付片１２とを備えている。導光部材１は、左右方向の中心線Ｌ１に対して線対称な形状に形成されている（図７Ａ参照）。
【００３５】
本体１１は、図７Ａ〜図７Ｃに示すように、入射領域Ａ１，Ａ２をそれぞれ有する一対の光導入部１１１，１１２と、出射領域Ｂ１を有する光導出部１１３と、一対の光導入部１１１，１１２と光導出部１１３との間の光路となる中間部１１４とを備えている。ここで、一対の光導入部１１１，１１２と光導出部１１３と中間部１１４とは同じ材料で一体に形成されている。
【００３６】
一対の光導入部１１１，１１２は、光導出部１１３の左右両側に配置されている。一対の光導入部１１１，１１２は、中間部１１４から後方に突出しており、上側に行くほど中間部１１４から離れるように傾斜している。一対の光導入部１１１，１１２の後面が、それぞれ、光が入射する入射領域Ａ１，Ａ２となる。
【００３７】
光導出部１１３は中間部１１４から上方に突出している。光導出部１１３の上部の前面が、光が出射する出射領域Ｂ１となる。また、光導出部１１３の上部の後面が、第２入射部である入射領域Ａ３となっている。ここで、本体１１において入射領域Ａ３の裏側が出射領域Ｂ１となっている。
【００３８】
ここで、第１入射部となる入射領域Ａ１，Ａ２と、第２入射部となる入射領域Ａ３と、出射領域Ｂ１とは、それぞれ本体１１の外側面の一部（つまり、本体１１の表面の一部）で構成されている。
【００３９】
本実施形態では、一対の入射領域Ａ１，Ａ２と出射領域Ｂ１とが本体１１の別々の面にあり、図７Ｂに示すように、一対の入射領域Ａ１，Ａ２と出射領域Ｂ１とは第１方向Ｄ１に沿って並んでいる。すなわち、第１方向Ｄ１において一対の入射領域Ａ１，Ａ２は出射領域Ｂ１の両側に配置されている。第１方向Ｄ１はスイッチハンドル３の短手方向、つまりスイッチハンドル３の貫通孔３１４の長手方向と平行な方向である。本実施形態では、スイッチハンドル３のレンズ３２は、上下方向の寸法に比べて左右方向の寸法が長い矩形状であり、導光部材１の出射領域Ｂ１も、上下方向の寸法に比べて左右方向（第１方向Ｄ１）の寸法が長い矩形の領域となっている。
【００４０】
また、本体１１は、入射領域Ａ１，Ａ２から本体１１の内部に入射した光を反射する第１反射部１３０と、第１反射部１３０で反射された光を出射領域Ｂ１に向かって反射する第２反射部１４０とを有している。
【００４１】
ここで、光導入部１１１，１１２の各々の前面（外側面）が第１反射部１３０となる。第１反射部１３０は、入射領域Ａ１，Ａ２のうち対応する入射領域に入射した光を第２方向Ｄ２に反射する。入射領域Ａ１，Ａ２のうち対応する入射領域に光が入射する入射方向をＤ１０とすると、第２方向Ｄ２は、入射方向Ｄ１０から見て、第１方向Ｄ１と平行な方向に対して交差する方向である。
【００４２】
第２反射部１４０は、第１反射部１３０で反射された光を反射する第１反射面１４１と、第１反射面１４１で反射された光を出射領域Ｂ１に向かって反射する第２反射面１４２とを有する。図６Ａ、図７Ｂ及び図７Ｃには、入射領域Ａ１から入射して導光部材１の内部を進行する光の光路を一点鎖線で示している。図６Ｂには、入射領域Ａ３から入射して導光部材１の内部を進行する光の光路を一点鎖線で示しており、入射領域Ａ３から入射した光は出射領域Ｂ１から直接出射する。ここで、入射領域Ａ３から入射した光は、入射方向Ｄ１０と平行な方向Ｄ３０に沿って、出射領域Ｂ１から出射する。図６Ａ、図６Ｂ、図７Ｂ及び図７Ｃに示した光路は一例であり、導光部材１の内部の光路はこれに限定されない。
【００４３】
ここで、入射領域Ａ１，Ａ２は、入射領域Ａ１，Ａ２に光が入射する入射方向Ｄ１０及び第２方向Ｄ２の両方に平行な平面内で、本体１１の外側に向かって凸となる湾曲面である（図７Ｃ参照）。本実施形態では入射領域Ａ１，Ａ２は例えば放物面である。入射領域Ａ１，Ａ２から本体１１の内側に入射した光が第１反射部１３０の所定の範囲に集まるように、入射領域Ａ１，Ａ２の放物面は設計されているので、反射による光の損失を低減できる。
【００４４】
第１反射部１３０は、入射方向Ｄ１０及び第２方向Ｄ２の両方に平行な平面内で、本体１１の外側に向かって凸となる湾曲面である。本実施形態では、第１反射部１３０は、例えば焦点が本体１１の内側に位置するような放物面である。この放物面は、第１反射部１３０で反射された光が第２反射部１４０の所定の範囲に集光されるように設計されているので、反射による光の損失を低減できる。
【００４５】
第１反射面１４１及び第２反射面１４２はそれぞれ本体１１の外側面の一部である。第１反射面１４１は、第１方向Ｄ１及び第２方向Ｄ２の両方に平行な平面内で、本体１１の外側に向かって凸となる湾曲面である（図７Ａ及び図７Ｂ参照）。図６Ａ及び図７Ｂの例では、第１反射面１４１は、第１反射部１３０によって反射された光を、方向Ｄ３に向かって反射する。本実施形態では、第１反射面１４１が例えば放物面である。第１反射面１４１で反射された光が、第２反射面１４２の所定の範囲に集まるように第１反射面１４１は設計されているので、反射による光の損失を低減できる。
【００４６】
第２反射面１４２は、第１方向Ｄ１及び第２方向Ｄ２の両方に平行な平面内で、本体１１の内側に向かって凸となる湾曲面である（図７Ａ及び図７Ｂ参照）。図６Ａ及び図７Ｂの例では、第２反射面１４２は、第１反射面１４１によって反射された光を、方向Ｄ４に向かって反射する。本実施形態では、第２反射面１４２が例えば放物面である。第２反射面１４２で反射された光が広がって第３反射部１５０に入射するように第２反射面１４２は設計されている。このように、第１反射面１４１と第２反射面１４２とで、出射領域Ｂ１に向かって反射される光の方向を調整することができる。
【００４７】
また、本体１１は、第２反射部１４０によって反射された光を出射領域Ｂ１に反射する第３反射部１５０を更に備えている。光導出部１１３の上端部の後面は、光導出部１１３の前面に対して傾斜する傾斜面となっており、この傾斜面が第３反射部１５０となる。第３反射部１５０は、第２反射部１４０で反射された光を出射領域Ｂ１に向かって反射するので、第３反射部１５０で反射された光は出射領域Ｂ１から本体１１の外側へと出射されるのである。図７Ｃの方向Ｄ２０は、出射領域Ｂ１から前方に向かって光が出射する出射方向を示している。また、第３反射部１５０が、第２反射部１４０で反射された光を出射領域Ｂ１に向かって反射するので、出射領域Ｂ１から出射されない光を減らすことができ、それによって出射領域Ｂ１から出射される光の光量を増やすことができる。
【００４８】
減光部材３４は、導光部材１に比べて光の透過率が低い合成樹脂によりＴ字形に形成されている。減光部材３４は、導光部材１の第２入射部（入射領域Ａ３）に入射する光を低減する機能を備えている。本実施形態の減光部材３４は、導光部材１と別体に形成され、導光部材１とともにハンドル本体３１に取り付けられているが、減光部材３４は導光部材１と一体に形成されてもよい。
【００４９】
減光部材３４は、矩形板状の主部３４１と、主部３４１の左右方向における両端縁からそれぞれ突出する一対の取付片３４２とを有している。主部３４１は、導光部材１の入射領域Ａ３と前後方向に重なるように配置され、主部３４１を通って入射領域Ａ３に入射する光の光量を低減する。主部３４１の上端には、ハンドル本体３１の後面の溝３１９に挿入される突起３４４が設けられている。一対の取付片３４２の各々には、取付片３４２を前後方向に貫通する孔３４３が設けられており、孔３４３にはハンドル本体３１のリブ３１８が挿入される。
【００５０】
このスイッチハンドル３は、以下のようにして組み立てられる。
【００５１】
まず、レンズ３２の主部３２１がハンドル本体３１の貫通孔３１４に後側から挿入され、レンズ３２の鍔部３２２がハンドル本体３１の凹部３１５内に収納される。次に、レンズ３２を覆うようにして、ハンドル本体３１の凹部３１６内に光色シート３３が挿入される。次に、導光部材１が光色シート３３を覆うようにしてハンドル本体３１の後面に配置され、取付片１２の孔１２１に挿入されたリブ３１７を熱などで変形させる（いわゆる熱かしめ）ことによって、導光部材１がハンドル本体３１に固定される。そして、一対の光導入部１１１，１１２の間に減光部材３４の主部３４１が配置され、突起３４４がハンドル本体３１の溝３１９に挿入されるようにして、導光部材１の後側に減光部材３４が配置される。取付片３４２の孔３４３に挿入されたリブ３１８を熱などで変形させることによって、減光部材３４がハンドル本体３１に固定される。また、板ばね３５はハンドル本体３１の溝３１３に例えば圧入によって固定される。以上のようにしてスイッチハンドル３は組み立てられるが、組み立ての手順は一例であり、適宜変更が可能である。
【００５２】
図５はスイッチハンドル３を後側から見た斜視図である。導光部材１の入射領域Ａ３よりも後側に減光部材３４の主部３４１が配置されている。すなわち、スイッチ装置２の光源２２と入射領域Ａ３との間に減光部材３４の主部３４１が配置される。また、導光部材１の入射領域Ａ１，Ａ２は、減光部材３４の主部３４１の左右両側に配置されている。ここで、入射領域Ａ１，Ａ２は入射領域Ａ３よりも後側に位置している。したがって、入射領域Ａ１〜Ａ３に本体２１の光源２２から光が入射する入射方向Ｄ１０と平行な方向（前後方向）において、本体２１の光源２２と入射領域Ａ３（第２入射部）との間に入射領域Ａ１，Ａ２（第１入射部）が位置している。
【００５３】
このスイッチハンドル３は、ハンドル本体３１の後面の溝３１３に本体２１の軸体２５を挿入させることによって、本体２１に対して回転可能な状態で取り付けられる。取付枠５０に取り付けられた本体２１にスイッチハンドル３が取り付けられた場合、スイッチハンドル３は、プレート６０の開口７１，８１内に配置される（図２参照）。
【００５４】
ここで、本実施形態の配線器具１０では、スイッチハンドル３の操作性を向上させるために、スイッチハンドル３の短手方向（左右方向）の寸法が、スイッチ装置２の本体２１の短手方向（左右方向）の寸法よりも大きくなっている（図２参照）。
【００５５】
そのため、取付枠５０に３個のスイッチ装置２が左右方向に並べて取り付けられた場合、左右方向の中央のスイッチ装置２では、スイッチハンドル３の左右方向の中心位置と、本体２１の左右方向の中心位置とが一致する。左側又は右側のスイッチ装置２では、スイッチハンドル３の左右方向の中心位置と、本体２１の左右方向の中心位置とがずれている。
【００５６】
したがって、中央のスイッチ装置２では、本体２１のカバー２３が導光部材１の入射領域Ａ３と対向し、スイッチ装置２の光源２２の光は入射領域Ａ３に入射される。左側のスイッチ装置２では、本体２１のカバー２３が導光部材１の入射領域Ａ１と対向し、スイッチ装置２の光源２２の光は入射領域Ａ１に入射される。右側のスイッチ装置２では、本体２１のカバー２３が導光部材１の入射領域Ａ２に対向し、スイッチ装置２の光源２２の光は入射領域Ａ２に入射される。
【００５７】
ここで、スイッチ装置２の光源２２から導光部材１の入射領域Ａ１に光が入射する場合の光路について図６Ａ、図７Ｂ、及び図７Ｃを参照しながら説明する。スイッチ装置２の光源２２から入射領域Ａ２に光が入射する場合の光路は、入射領域Ａ１に光が入射する場合の光路と同様であるので、その説明は省略する。本実施形態では入射領域Ａ１に光が入射する場合も、入射領域Ａ２に光が入射する場合も、同じ出射領域Ｂ１から光が出射するので、出射領域Ｂ１を別々に設ける必要がない。また、入射領域Ａ１，Ａ２のいずれかに光を入射させれば、出射領域Ｂ１から光を出射させることができる。
【００５８】
入射領域Ａ１から本体１１の内部に入射した光は第１反射部１３０によって第２方向Ｄ２に向かって反射された後、第１反射面１４１と第２反射面１４２とで反射されて、第３反射部１５０に入射する。第３反射部１５０は、第２反射面１４２によって反射された光を出射領域Ｂ１に向かって（つまり前方に向かって）反射し、出射領域Ｂ１から本体１１の外部に光が出射する。そして、出射領域Ｂ１から本体１１の外部に出射した光は、光色シート３３とレンズ３２とを通り、レンズ３２から前方に出射される。
【００５９】
ここで、入射領域Ａ１は、光の入射方向Ｄ１０及び第２方向Ｄ２の両方に平行な平面内で、本体１１の外側に向かって凸となる放物面であり、入射領域Ａ１に入射した光は焦点に集まるように入射領域Ａ１で屈折する。したがって、入射領域Ａ１を通って第１反射部１３０に入射する光が所定の範囲に集まることになる。第１反射部１３０に入射する光の入射角を所定の臨界角よりも大きくすることで、入射領域Ａ１から入射した光を第１反射部１３０で全反射させることができる。
【００６０】
また、第１反射部１３０は、光の入射方向Ｄ１０及び第２方向Ｄ２の両方に平行な平面内で本体１１の外側に向かって凸となる湾曲面である。本実施形態では第１反射部１３０は放物面であり、その焦点が第１反射面１４１よりも内側に位置するように設計されているので、第１反射部１３０に入射した光は焦点に集まるように第１反射部１３０によって反射される。したがって、第１反射部１３０で反射された後に第１反射面１４１に入射する光の入射角が所定の範囲に設定されることになる。よって、第１反射面１４１に入射する光の入射角を所定の臨界角よりも大きくすることで、第１反射面１４１に入射する光を第１反射面１４１で全反射させることができる。
【００６１】
また、第１反射面１４１は、第１方向Ｄ１及び第２方向Ｄ２の両方に平行な平面内で、本体１１の外側に向かって凸となる湾曲面である。第１反射面１４１は第１反射部１３０に比べてカーブが緩やかであるので、第１反射面１４１で反射された光は、第１反射部１３０で反射された光よりも広い範囲に広がった状態で第２反射面１４２に入射される。第１反射面１４１で反射された光が第２反射面１４２に入射する入射角が所定の臨界角よりも大きくなるように、第１反射面１４１は設計されているので、第２反射面１４２に入射した光を第２反射面１４２で全反射させることができる。
【００６２】
また、第２反射面１４２は、第１方向Ｄ１及び第２方向Ｄ２の両方に平行な平面内で、本体１１の内側に向かって凸となる湾曲面であるので、第２反射面１４２に入射した光は第２反射面１４２によって第１方向Ｄ１において広角に反射される。したがって、第２反射面１４２で反射された光は第１方向Ｄ１において広がった状態で第３反射部１５０に入射する。そして、第３反射部１５０は、第２反射面１４２で反射された光を前方に反射し、出射領域Ｂ１から本体１１の外部に出射させる。このように、第２反射面１４２に入射した光は、第２反射面１４２によって第１方向Ｄ１において広角に反射されるので、第１方向Ｄ１において、出射領域Ｂ１から出射する光、つまりレンズ３２から出射する光の明るさのばらつきを少なくできる。
【００６３】
また、本実施形態では出射領域Ｂ１が平面であるから、出射領域Ｂ１において本体１１の外部に出射する光の向きが変化しにくくなる。よって、出射領域Ｂ１が湾曲面である場合に比べて、第１方向Ｄ１において出射領域Ｂ１から出射される光の明るさがばらつきにくくなる。
【００６４】
一方、左右方向における中央のスイッチ装置２では、本体２１のカバー２３が減光部材３４を介して導光部材１の入射領域Ａ３に対向しており、スイッチ装置２の光源２２の光は減光部材３４を通って入射領域Ａ３に入射される。入射領域Ａ３から本体１１の内部に入射した光は、本体１１の内部を通り、出射領域Ｂ１から本体１１の外部に出射する。そして、出射領域Ｂ１から本体１１の外部に出射した光は、光色シート３３とレンズ３２とを通り、レンズ３２から前方に出射される。
【００６５】
本実施形態では第１入射部である入射領域Ａ１，Ａ２から光が入射する場合も、第２入射部である入射領域Ａ３から光が入射する場合も、同じ出射領域Ｂ１から光が出射するので、出射領域Ｂ１を別々に設ける必要がない。また、第１入射部である入射領域Ａ１，Ａ２と第２入射部である入射領域Ａ３とのいずれかに光を入射すれば、出射領域Ｂ１から光を出射させることができる。
【００６６】
ところで、入射領域Ａ１又はＡ２から本体１１の内部に入射した光は少なくとも４回の反射を経て出射領域Ｂ１から外部に出射するのに対して、入射領域Ａ３から本体１１の内部に入射した光は、内部で反射されることなく出射領域Ｂ１から外部に出射する。したがって、入射領域Ａ３から入射した光における本体１１の内部での減衰量は、入射領域Ａ１，Ａ２から入射した光における本体１１の内部での減衰量に比べて小さくなる。そのため、入射領域Ａ１，Ａ２に入射する光の明るさと、入射領域Ａ３に入射する光の明るさとが同じであれば、入射領域Ａ１，Ａ２に光が入射する場合に比べて、入射領域Ａ３に光が入射する場合の方が出射領域Ｂ１から出力される光が明るくなる。
【００６７】
そこで、本実施形態では、光源２２と導光部材１の入射領域Ａ３との間に減光部材３４が配置されている。減光部材３４は、入射領域Ａ３に入射する光を入射領域Ａ１，Ａ２に入射する光よりも低減させている。このように、減光部材３４が入射領域Ａ３に入射する光を低減することで、入射領域Ａ１，Ａ２に光が入射する場合と、入射領域Ａ３に光が入射する場合とで、出射領域Ｂ１から出射する光の光量の差が小さくなる。
【００６８】
また、本実施形態では、入射領域Ａ１〜Ａ３に光が入射する入射方向Ｄ１０において、光源２２と第２入射部である入射領域Ａ３との間に、第１入射部である入射領域Ａ１，Ａ２がある。したがって、光源２２と入射領域Ａ１，Ａ２との間の距離に比べて、光源２２と入射領域Ａ３との間の距離が長くなる。そのため、光源２２からの光が入射領域Ａ１，Ａ２に入射する場合に比べて、光源２２からの光が入射領域Ａ３に入射する場合は、光源２２からの光が広がった状態で入射領域Ａ３に入射することになる。よって、入射領域Ａ３に入射する光の範囲を、入射領域Ａ１，Ａ２に入射する光の範囲よりも広げることができ、第１方向Ｄ１における出射領域Ｂ１の寸法を広げた場合でも第１方向Ｄ１において出射領域Ｂ１の明るさのばらつきを低減できる。
【００６９】
（３）変形例
以下に、上記実施形態の変形例に係る導光部材、スイッチハンドル、配線器具を列記する。以下に説明する変形例の各構成は、上記実施形態で説明した各構成と適宜組み合わせて適用可能である。
【００７０】
（３．１）変形例１
上記実施形態の導光部材１は、光導出部１１３の上端部に第３反射部１５０を備えているが、第３反射部１５０は必須の構成ではない。図８に示すように、光導出部１１３の上端部に、下側に行くにつれてハンドル本体３１の後面に近付くように傾斜する傾斜面１６０を設け、この傾斜面１６０の表面にシボ加工を施してもよい。この傾斜面１６０が出射領域Ｂ１となり、第２反射部１４０で反射された光が出射領域Ｂ１に入射すると、出射領域Ｂ１の表面の凹凸によって、出射領域Ｂ１から前方に光が出射される。
【００７１】
（３．２）変形例２及び変形例３
上記実施形態及び変形例１では、第２反射部１４０が、第１反射面１４１と第２反射面１４２とで構成されているが、第２反射部は、１つの反射面（湾曲面又は平面）で構成されてもよいし、３つ以上の反射面（湾曲面又は平面）で構成されてもよい。
【００７２】
図９は、第２反射部１４０Ａが３つの反射面（第１反射面１４１、第２反射面１４２、第３反射面１４３）を有する変形例２を示している。図９では、入射領域Ａ２から入射して導光部材１の内部を進行する光の光路を一点鎖線で示している。図９に示した光路は一例であり、導光部材１の内部の光路はこれに限定されない。また、入射領域Ａ１から導光部材１に光が入射する場合は、入射領域Ａ２から導光部材１に光が入射する場合と同様の光路で反射されて導光部材１の外部に出射されるので、その説明は省略する。
【００７３】
変形例２では、第１反射面１４１と第２反射面１４２とは連なって設けられているが、第３反射面１４３は導光部材１において第１反射面１４１及び第２反射面１４２と離れた部位に設けられている。図示例では、光導出部１１３の側面が第３反射面１４３となっている。
【００７４】
変形例２では、入射領域Ａ２に入射した光は、第１反射部１３０で反射された後、第１反射面１４１と、第２反射面１４２と、第３反射面１４３とで反射されて、第３反射部１５０に入射する。そして、第３反射部１５０に入射した光は、第３反射部１５０によって前方に反射されて、出射領域Ｂ１から外部に出射する。
【００７５】
また、図１０は、第２反射部１４０Ｂが１つの反射面１８０で構成される変形例３を示している。図１０では、入射領域Ａ２から入射して導光部材１の内部を進行する光の光路を一点鎖線で示している。図１０に示した光路は一例であり、導光部材１の内部の光路はこれに限定されない。また、入射領域Ａ１から導光部材１に光が入射する場合は、入射領域Ａ２から導光部材１に光が入射する場合と同様の光路で反射されて導光部材１の外部に出射されるので、その説明は省略する。
【００７６】
変形例３では、入射領域Ａ２に入射した光は、第１反射部１３０で反射された後、反射面１８０で反射されて、第３反射部１５０に入射する。そして、第３反射部１５０に入射した光は、第３反射部１５０によって前方に反射され、出射領域Ｂ１から外部に出射する。ここで、反射面１８０は、第１方向Ｄ１及び第２方向Ｄ２の両方に平行な平面内で、本体１１の内側に向かって凸となる湾曲面である。反射面１８０は例えば放物面である。この放物面は、第１反射部１３０から入射した光が第１方向Ｄ１に広がって反射されるように設計されているので、第１方向Ｄ１において出射領域Ｂ１から出射する光の明るさのばらつきを少なくできる。第２反射部１４０Ｂが１つの反射面１８０で構成される場合、第１反射部１３０から反射面１８０に光が入射する入射角が小さくなって、反射面１８０に入射する光の一部が反射面１８０から外部に出射してしまう可能性がある。そこで、変形例３では、反射面１８０には例えば銀めっきなどのめっき層が形成されているのが好ましく、反射面１８０に入射した光を第３反射部１５０に向かって確実に反射させることができる。
【００７７】
また、本実施形態では本体１１が、２つの入射領域Ａ１，Ａ２にそれぞれ対応する２つの第２反射部１４０，１４０を備えているが、２つの第２反射部１４０，１４０が１つの湾曲面で構成されてもよい。この場合、湾曲面の一部が第１反射面１４１として機能し、湾曲面の別の一部が第２反射面１４２として機能する。例えば、入射領域Ａ１から入射し第１反射部１３０で反射された光は、湾曲面の一部で反射された後、湾曲面の他の一部によって出射領域Ｂ１に向かって反射されればよい。
【００７８】
（３．３）他の変形例
上記実施形態では、取付枠５０の長手方向が水平方向と平行になるように、取付枠５０が造営材９０に取り付けられているが、取付枠５０の長手方向が鉛直方向と平行になるように、取付枠５０が造営材９０に取り付けられてもよい。この場合、取付枠５０に取り付けられた３個のスイッチ装置２は、上下方向に並べて配置される。したがって、レンズ３２及び出射領域Ｂ１の長手方向は上下方向と平行な方向となり、入射領域Ａ１，Ａ２と出射領域Ｂ１とが並ぶ第１方向Ｄ１は上下方向と平行な方向になる。
【００７９】
上記実施形態では、入射領域Ａ１，Ａ２のそれぞれが、本体１１の外側に向かって凸となる１つの湾曲面で構成されているが、本体１１の外側に向かって凸となる２以上の湾曲面が連なったような形状に構成されてもよい。
【００８０】
上記実施形態では、第１反射部１３０が、本体１１の外側に向かって凸となる１つの湾曲面で構成されているが、本体１１の外側に向かって凸となる２以上の湾曲面が連なったような形状に構成されてもよい。
【００８１】
導光部材１は、第１方向Ｄ１において出射領域Ｂ１の両側に第１入射部となる入射領域Ａ１，Ａ２を有しているが、第１入射部となる入射領域は１つでもよく、第１入射部となる１つの入射領域と出射領域とが第１方向Ｄ１に並んでいればよい。
【００８２】
上記実施形態では、導光部材１と減光部材３４とが別体に形成されて、導光部材１と減光部材３４とがハンドル本体３１に取り付けられているが、導光部材１と減光部材３４とが一体化され、導光部材１に減光部材３４の機能が備わっていてもよい。
【００８３】
（４）まとめ
以上説明したように、第１の態様の導光部材（１）は、外部からの光が入射する少なくとも１つの入射領域（Ａ１，Ａ２）と、外部に光を出射する出射領域（Ｂ１）とを有する本体（１１）を備える。入射領域（Ａ１，Ａ２）と出射領域（Ｂ１）とは、第１方向（Ｄ１）において並ぶように本体（１１）の別々の面にある。本体（１１）は、少なくとも１つの第１反射部（１３０）と、少なくとも１つの第２反射部（１４０）と、を有する。第１反射部（１３０）は、入射領域（Ａ１，Ａ２）から本体（１１）の内部に入射した光を、入射領域（Ａ１，Ａ２）に光が入射した入射方向（Ｄ１０）から見て、第１方向（Ｄ１）と交差する第２方向（Ｄ２）に反射する。第２反射部（１４０）は、第１反射部（１３０）によって反射された光を、出射領域（Ｂ１）に向かって反射する。
【００８４】
第１の態様では、第１反射部（１３０）は、入射領域（Ａ１，Ａ２）から本体（１１）の内部に入射した光を、入射方向（Ｄ１０）から見て、第１方向（Ｄ１）と交差する第２方向（Ｄ２）に反射している。したがって、第１方向（Ｄ１）における出射領域（Ｂ１）の寸法を広げるためには第２反射部（１４０）の大きさを広げればよいから、入射方向（Ｄ１０）と平行な方向において導光部材１の寸法を小さくできる。よって、入射領域（Ａ１，Ａ２）への光の入射方向（Ｄ１）と平行な方向における寸法を小さく抑えることができる。
【００８５】
第２の態様の導光部材（１）では、第１の態様において、第２反射部（１４０）が、第１反射面（１４１）と、第２反射面（１４２）と、を含む。第１反射面（１４１）は、第１反射部（１３０）によって反射された光を反射する。第２反射面（１４２）は、第１反射面（１４１）によって反射された光を出射領域（Ｂ１）に向かって反射する。
【００８６】
第２の態様によれば、第１反射面（１４１）と第２反射面（１４２）とで出射領域（Ｂ１）に向かって反射される光の方向を調整することができる。
【００８７】
第３の態様の導光部材（１）では、第２の態様において、第１反射面（１４１）は本体（１１）の外側面の一部である。第１反射面（１４１）は、第１方向（Ｄ１）及び第２方向（Ｄ２）の両方に平行な平面内で、本体（１１）の外側に向かって凸となる湾曲面である。
【００８８】
第３の態様によれば、第１反射面（１４１）は、本体（１１）の外側に向かって凸となる湾曲面であるので、第１反射面（１４１）で反射された光を第２反射面（１４２）に集めることができ、反射による光の損失を低減できる。
【００８９】
第４の態様の導光部材（１）では、第２又は第３の態様において、第２反射面（１４２）は本体（１１）の外側面の一部である。第２反射面（１４２）は、第１方向（Ｄ１）及び第２方向（Ｄ２）の両方に平行な平面内で、本体（１１）の内側に向かって凸となる湾曲面である。
【００９０】
第４の態様によれば、第２反射面（１４２）は、本体（１１）の内側に向かって凸となる湾曲面であるので、第２反射面（１４２）による反射光が出射領域（Ｂ１）に入射する範囲を広げることができる。したがって、第１方向（Ｄ１）において出射領域（Ｂ１）の寸法を広げた場合でも、第１方向（Ｄ１）において、出射領域（Ｂ１）から出射される光の明るさのばらつきを低減できる。
【００９１】
第５の態様の導光部材（１）では、第１〜第４のいずれか１つの態様において、本体（１１）は、第２反射部（１４０）によって反射された光を出射領域（Ｂ１）に向かって反射する第３反射部（１５０）を更に有する。
【００９２】
第５の態様によれば、第３反射部（１５０）が、第２反射部（１４０）で反射された光を、出射領域（Ｂ１）に向かって反射しているので、出射領域（Ｂ１）から出射する光の光量を増やすことができる。
【００９３】
第６の態様の導光部材（１）では、第１〜第５のいずれか１つの態様において、出射領域（Ｂ１）は本体（１１）の外側面の一部であり、出射領域（Ｂ１）は平面である。
【００９４】
第６の態様によれば、出射領域（Ｂ１）が平面であるから、出射領域（Ｂ１）が湾曲面である場合に比べて、出射領域（Ｂ１）における明るさのばらつきを低減できる。
【００９５】
第７の態様の導光部材（１）では、第１〜第６のいずれか１つの態様において、入射領域（Ａ１，Ａ２）は本体（１１）の外側面の一部である。入射領域（Ａ１，Ａ２）は、入射方向（Ｄ１０）及び第２方向（Ｄ２）の両方に平行な平面内で、本体（１１）の外側に向かって凸となる湾曲面である。
【００９６】
第７の態様によれば、入射領域（Ａ１，Ａ２）が、本体（１１）の外側に向かって凸となる湾曲面であるので、入射領域（Ａ１，Ａ２）から本体１１の内部に入射する光を第１反射部１３０に集めることができ、反射による光の損失を低減できる。
【００９７】
第８の態様の導光部材（１）では、第１〜第７のいずれか１つの態様において、第１反射部（１３０）は本体（１１）の外側面の一部である。第１反射部（１３０）は、入射領域（Ａ１，Ａ２）に光が入射する入射方向及び第２方向（Ｄ２）の両方に平行な平面内で、本体（１１）の外側に向かって凸となる湾曲面である。
【００９８】
第８の態様によれば、第１反射部（１３０）が、本体（１１）の外側に向かって凸となる湾曲面であるので、第１反射部（１３０）で反射された光を第２反射部１４０に集めることができ、反射による光の損失を低減できる。
【００９９】
第９の態様の導光部材（１）では、第１〜第８のいずれか１つの態様において、本体（１１）は、入射領域（Ａ１，Ａ２）からなる第１入射部（Ａ１，Ａ２）とは別に、本体（１１）の外部からの光が入射する第２入射部（Ａ３）を更に有している。第２入射部（Ａ３）から入射した光の少なくとも一部が出射領域（Ｂ１）に直接出射する。
【０１００】
第９の態様によれば、第１入射部（Ａ１，Ａ２）に光が入射する場合、第２入射部（Ａ３）に光が入射する場合も出射領域（Ｂ１）から光が出射するので、出射領域を別々に設ける必要がない。また、第１入射部（Ａ１，Ａ２）と第２入射部（Ａ３）とのいずれかに光を入射させれば、出射領域（Ｂ１）から光を出射させることができる。
【０１０１】
第１０の態様の導光部材（１）では、第９の態様において、第２入射部（Ａ３）に入射する光量を低減する減光部材（３４）を、更に備える。
【０１０２】
第１０の態様によれば、減光部材（３４）が第２入射部（Ａ３）に入射する光量を低減するので、第１入射部（Ａ１，Ａ２）から光が入射する場合と、第２入射部（Ａ３）から光が入射する場合とで、出射領域（Ｂ１）から出射される光の明るさの差を少なくできる。
【０１０３】
第１１の態様の導光部材（１）では、第９又は第１０の態様において、第１入射部（Ａ１，Ａ２）に光源（２２）から光が入射する入射方向と第２入射部（Ａ３）に光源（２２）から光が入射する入射方向とが平行である。第１入射部（Ａ１，Ａ２）及び第２入射部（Ａ３）に光が入射する入射方向において、光源（２２）と第２入射部（Ａ３）との間に第１入射部（Ａ１，Ａ２）がある。
【０１０４】
第１１の態様によれば、光源（２２）と第１入射部（Ａ１，Ａ２）との間の距離に比べて、光源（２２）と第２入射部（Ａ３）との間の距離が長くなる。したがって、第２入射部（Ａ３）に入射する光の範囲を、第１入射部（Ａ１，Ａ２）に入射する光の範囲よりも広げることができ、第１方向における出射領域（Ｂ１）の寸法を広げた場合でも第１方向において出射領域（Ｂ１）の明るさのばらつきを低減できる。
【０１０５】
第１２の態様の導光部材（１）では、第１〜第１１のいずれか１つの態様において、入射領域（Ａ１，Ａ２）と第１反射部（１３０）と第２反射部（１４０）とがそれぞれ複数ある。第１方向（Ｄ１）において出射領域（Ｂ１）の両側に複数の入射領域（Ａ１，Ａ２）が並んでいる。複数の入射領域（Ａ１，Ａ２）のそれぞれから入射した光は、複数の第１反射部（１３０）のうち対応する１つの第１反射部（１３０）と、複数の第２反射部（１４０）のうち対応する１つの第２反射部（１４０）とで反射されて、出射領域（Ｂ１）から外部に出射する。
【０１０６】
第１２の態様によれば、複数の入射領域（Ａ１，Ａ２）のいずれに光が入射した場合でも、同じ出射領域（Ｂ１）から光を出射させることができ、入射領域ごとに出射領域を設ける必要がない。
【０１０７】
第１３の態様のスイッチハンドル（３）は、スイッチ装置（２）のオン／オフを切り替える。スイッチハンドル（３）は、第１〜第１２のいずれか１つの態様の導光部材（１）と、導光部材（１）が取り付けられるハンドル本体（３１）とを備える、
第１３の態様によれば、入射領域（Ａ１，Ａ２）への光の入射方向（Ｄ１）と平行な方向における寸法を小さく抑えた導光部材（１）を備えたスイッチハンドル（３）を提供することができる。
【０１０８】
第１４の態様のスイッチハンドル（３）は、第１３の態様において、減光部材（３４）を更に備える。本体（１１）は、入射領域（Ａ１，Ａ２）からなる第１入射部（Ａ１，Ａ２）とは別に、本体（１１）の外部からの光が入射する第２入射部（Ａ３）を更に有している。第２入射部（Ａ３）から入射した光の少なくとも一部が出射領域（Ｂ１）に直接出射する。減光部材（３４）は、第２入射部（Ａ３）に入射する光量を低減する。
【０１０９】
第１４の態様によれば、減光部材（３４）が第２入射部（Ａ３）に入射する光量を低減するので、第１入射部（Ａ１，Ａ２）から光が入射する場合と、第２入射部（Ａ３）から光が入射する場合とで、出射領域（Ｂ１）から出射される光の明るさの差を少なくできる。
【０１１０】
第１５の態様の配線器具（１０）は、第１３又は第１４の態様のスイッチハンドル（３）と、スイッチ装置（２）と、を備える。スイッチ装置（２）は、スイッチハンドル（３）が移動可能な状態で取り付けられる本体（２１）を備える。
【０１１１】
第１５の態様によれば、入射領域（Ａ１，Ａ２）への光の入射方向（Ｄ１）と平行な方向における寸法を小さく抑えた導光部材（１）を備えた配線器具（１０）を提供することができる。
【符号の説明】
【０１１２】
１  導光部材
２  スイッチ装置
３  スイッチハンドル
１０  配線器具
１１  本体
２１  本体
２２  光源
３１  ハンドル本体
３４  減光部材
１３０  第１反射部
１４０  第２反射部
１４１  第１反射面
１４２  第２反射面
１５０  第３反射部
Ａ１，Ａ２  入射領域（第１入射部）
Ａ３  入射領域（第２入射部）
Ｂ１  出射領域
Ｄ１  第１方向
Ｄ２  第２方向
Ｄ１０  入射方向
【図１】
2018113240.tif 000003
【図２】
2018113240.tif 000004
【図３】
2018113240.tif 000005
【図４】
2018113240.tif 000006
【図５】
2018113240.tif 000007
【図６】
2018113240.tif 000008
【図７】
2018113240.tif 000009
【図８】
2018113240.tif 000010
【図９】
2018113240.tif 000011
【図１０】
2018113240.tif 000012